(57)【要約】【課題】  多種の規格のメモリーカードに同時適用可能な単一のアダプターを提供する。【解決手段】  ベース１０は、ＳＤカード、ＭＭＣ、及びＲＳ‐ＭＭＣに対応し、前方にガイドブロック１２を数個有する第一接点１１と、第一接点１１の上方に位置付けられるｍｉｎｉ ＳＤカードに対応する第二接点１４とを有している。また、ベース１０は、ガイド面を有している。ガイド面は、ｍｉｎｉ ＳＤカードを差し込んだとき突き当たる到達面の位置が、ＳＤカード、ＭＭＣ、及びＲＳ‐ＭＭＣを差し込んだとき突き当たる到達面よりも奥にある。ベース１０は、その周縁に装着するための係止片１７を数個有している。筐体６０は、ベース１０の数個の係止片１７に対応する係止孔６１を有している。【選択図】    図１
0003111338.tif 000002
【実用新案登録請求の範囲】
【請求項１】
ベースと、筐体とを備え、
前記ベースは、ＳＤカード、ＭＭＣ、及びＲＳ‐ＭＭＣに対応し前方にガイドブロックを数個有する第一接点と、第一接点の上方に位置付けられるｍｉｎｉ ＳＤカードに対応する第二接点とを有し、ｍｉｎｉ ＳＤカードを差し込んだとき突き当たる到達面の位置がＳＤカード、ＭＭＣ、及びＲＳ‐ＭＭＣを差し込んだとき突き当たる到達面よりも奥にあり、二つの到達面の間にはｍｉｎｉ ＳＤカードの横方向に対する位置制限面及びガイド面を有し、周縁には装着するための複数の係止片を有し、
筐体は、ベースの係止片に対応する係止孔を有することを特徴とするマルチメモリーカードのアダプター。
【請求項２】
ベースは第一接点の前方にＭＭＣ４．０及びＲＳ‐ＭＭＣ４．０に対応する第三接点を備えることを特徴とする請求項１に記載のマルチメモリーカードのアダプター。
【請求項３】
ベースはｍｉｎｉ ＳＤカードを差し込む位置に対応する右側に位置制限片を有し、
位置制限片は前端に凹弧状部を有し、内側に制止部を有し、
蓋体は位置制限片に対応する貫通溝を有することを特徴とする請求項１に記載のマルチメモリーカードのアダプター。
【請求項４】
ベースは一側にセンサー片と書込み防止片を有し、
蓋体は周縁にアース片を有することを特徴とする請求項１に記載のマルチメモリーカードのアダプター。
【考案の詳細な説明】
【技術分野】
【０００１】
本考案は、マルチメモリーカードのアダプターに関し、特に多種の規格のメモリーカードを接続するための器具に関するものである。
【背景技術】
【０００２】
現在、市販のメモリーカードは規格が多いだけではなく、新しい規格が続々開発されている。しかしメモリーカードの規格によってサイズと接点の位置がすべて異なるため、規格が異なるメモリーカードは専用のアダプターしか使用できない。したがって、使用上の利便性と汎用性を高めるために、形態が異なるアダプター構造を単一のアダプターに整合することで規格が多種多様なメモリーカードを接続して使用することが可能である。しかし、現今、ＳＤ(Secure Digital)、ｍｉｎｉ ＳＤ（mini Secure Digital)、ＭＭＣ（Multi Media Card）、ＲＳ‐ＭＭＣ（Reduced Size Multi Media Card）、ＭＭＣ４．０、ＲＳ‐ＭＭＣ４．０などに同時適用可能なアダプターが開発されていなかった。
【考案の開示】
【考案が解決しようとする課題】
【０００３】
本考案の主な目的は、先行技術ではＳＤカード、ｍｉｎｉ ＳＤカード、ＭＭＣ及びＲＳ‐ＭＭＣに同時適用可能なアダプターが開発されていなかったという課題を解決するために、上述の四種のメモリーカードに同時適用可能な単一のアダプターを提供することで使用上の利便性と汎用性を高めることである。
本考案のもう一つの目的は、そのほかにＭＭＣ４．０及びＲＳ‐ＭＭＣ４．０にも同時適用可能なアダプターを提供することで使用上の利便性と汎用性を高めることである。
【課題を解決するための手段】
【０００４】
上述の目的を達成するために、本考案によるマルチメモリーカードのアダプターはベースと蓋体を備える。ベースはＳＤカード、ＭＭＣ、及びＲＳ‐ＭＭＣの接点に対応し、かつその前方にガイドブロックを数個有する第一接点と、第一接点の上方に位置付けられるｍｉｎｉ ＳＤカードの接点に対応する第二接点とを有し、かつ第一接点の前方にＭＭＣ４．０及びＲＳ‐ＭＭＣ４．０に対応する第三接点が増設されていて、またその一側にはセンサー片と書き読み防止片を有し、その周縁には装着するための係止片を数個有する。蓋体はベースの数個の係止片に対応する係止孔を有し、周縁にアース片を有する。
【考案を実施するための最良の形態】
【０００５】
図１から図３に示すように、本考案の一実施例によるマルチメモリーカードのアダプターはベースと蓋体を備える。ベース１０はＳＤカード２０、ＭＭＣ３０、及びＲＳ‐ＭＭＣ４０の接点に対応する第一接点１１を有し、第一接点１１の前方に差し込まれたメモリーカードを位置決めするためのガイドブロック１２を数個有し、そして第一接点の上方にｍｉｎｉ ＳＤカード５０の接点に対応する第二接点１４を有し、かつｍｉｎｉ ＳＤカード５０を差し込んで突き当たらせる到達面１３１の位置がＳＤカード２０、ＭＭＣ３０及びＲＳ‐ＭＭＣ４０を差し込んで突き当たらせる到達面１３２より奥にあり、かつ二つの到達面１３１、１３２の間にはｍｉｎｉ ＳＤカード５０の横方向に対する位置制限面１３３とガイド面１３４を有し、またその一側にはセンサー片１５と書込み防止片１６を有し、またその周縁には装着するための係止片１７を数個有する。
【０００６】
蓋体６０はベース１０の数個の係止片１７に対応する係止孔６１を有し、周縁にアース片６２を有する。
またベース１０は第一接点１１の前方にＭＭＣ４．０及びＲＳ‐ＭＭＣ４．０に対応する第三接点１８を備える。さらにベース１０はｍｉｎｉ ＳＤカード５０を差し込む位置に対応する右側に位置制限片１９を有し、位置制限片１９は前端に凹弧状部１９１を有し、内側に制止部１９２を有し、蓋体６０は位置制限片１９に対応する貫通溝６３を有する。
【０００７】
上述の構造により、図４に示すように、本実施例のマルチメモリーカードのアダプターはＳＤカード２０、ｍｉｎｉ ＳＤカード５０、ＭＭＣ３０、ＲＳ‐ＭＭＣ４０、ＭＭＣ４．０７０、ＲＳ‐ＭＭＣ４．０８０などに適用することが可能である。そのうちのｍｉｎｉ ＳＤカード５０は第二接点１４により電気的に接続され、そのほかの規格のメモリーカードは第一接点１１により電気的に接続され、ＭＭＣ４．０７０及びＲＳ‐ＭＭＣ４．０８０は第三接点１８により電気的に接続される。
【０００８】
またｍｉｎｉ ＳＤカード５０は幅が比較的狭いため、位置制限片１９の制止部１９２により正確な位置に誘導されて位置決めされる。またほかの規格のメモリーカードを差し込む場合、凹弧状部１９１により位置制限片１９が持ち上げられればメモリーカードの差し込みに支障をきたすことはない。したがって、本実施例のマルチメモリーカードのアダプターは六種の規格のメモリーカードに適用することが可能であるため、使用上の利便性と汎用性が高まる。
【図面の簡単な説明】
【０００９】
【図１】本考案の一実施例によるマルチメモリーカードのアダプターの分解図である。
【図２】本考案の一実施例によるマルチメモリーカードのアダプターの組み立てられた後のベースの構造を示す模式図である。
【図３】本考案の一実施例によるマルチメモリーカードのアダプターの構造を示す外観図である。
【図４】本考案の一実施例によるマルチメモリーカードのアダプターが六種の規格のメモリーカードに適用可能であることを説明する模式図である。
【符号の説明】
【００１０】
１０  ベース、１１  第一接点、１２  ガイドブロック、１３１  到達面、１３２  到達面、１３３  位置制限面、１３４  ガイド面、１４  第二接点、１５  センサー片、１６  書き込み防止片、１７  係止片、１８  第三接点、１９  位置制限片、１９１  凹弧状部、１９２  制止部、２０  ＳＤカード、３０  ＭＭＣ、４０  ＲＳ‐ＭＭＣ、５０  ｍｉｎｉ ＳＤカード、６０  蓋体、６１  係止孔、６２  アース片、６３  貫通溝、７０  ＭＭＣ４．０、８０  ＲＳ‐ＭＭＣ４．０
【図１】
0003111338.tif 000003
【図２】
0003111338.tif 000004
【図３】
0003111338.tif 000005
【図４】
0003111338.tif 000006